(57)【特許請求の範囲】
【請求項１】
複数枚のカードを積層状態で収納するケースと、このケース内の最下層のカードをケースの前端部のカード排出口から送り出す送出手段と、この送出手段に積層されたカードを上方から加圧する加圧手段とを備えたカード送出装置において、前記ケースの底板の内側の後端部にカードの厚みよりも高い段部を設けたことを特徴とするカード送出装置。
【請求項２】
請求項１記載のカード送出装置において、前記ケースの背面板の内側に、下方に向かって漸次前方に突出する傾斜部を設けたことを特徴とするカード送出装置。
【発明の詳細な説明】
【０００１】
【発明の属する技術分野】
本発明は、積層状態でケース内に収納されたテレホンカード等の各種のカードを１枚ずつケースのカード排出口から送り出すカード送出装置に関する。
【０００２】
【従来の技術】
一般に、この種のカード送出装置においては、複数枚のカードがケース内に積層状態で収納され、ケースの底板側には送出ローラが設けられており、ケースの上部側に設けられた板ばねの付勢力によって積層されたカードが送出ローラ側に加圧されている。ケースの前端には、１枚のカードの厚みよりもわずかに大きい開口を有する厚みゲージが設けられており、送出ローラが回転することによって最下層のカードから１枚ずつこの厚みゲージを通ってカード排出口から排出される。
【０００３】
【発明が解決しようとする課題】
しかしながら、上述した従来のカード送出装置においては、ケース内に積層されたカード間に静電気が発生したり、あるいはカード間が真空状態となることによって、カードどおしが密着した状態となっている。このため、カード送出ローラによって送り出される最下層のカードに追従して複数枚のカードが重なって送り出されることによって、これらのカードが厚みゲージに当接するので、最下層のカードがカード排出口から円滑に排出されなかったり、カード詰まりを起こすという問題があった。また、厚いカードを多量に積載した場合には、これらのカードの重量によって送出ローラによる搬送力が不足し、このため最下層のカードを搬送できないという問題や、カードの表面に傷が付くという問題もあった。また、これらの問題を解決するために、カードをケース内に収納する以前に、積層されたカードの間にエアを吹き入れるエア吹きによってカードの密着を除去することも提案されている。しかしながら、この方法では煩雑な作業が増えることと、エア吹き用の装置を用意しなければならないため、作業の手間とコストが増大するという新たな問題が発生していた。
【０００４】
本発明は上記した従来の問題に鑑みなされたものであり、その目的とするところは、簡単な構造にもかかわらず、カードに傷を付けずにかつ確実に１枚ずつ送り出すカード送出装置を提供することにある。
【０００５】
【課題を解決するための手段】
この目的を達成するために、請求項１に係る発明は、複数枚のカードを積層状態で収納するケースと、このケース内の最下層のカードをケースの前端部のカード排出口から送り出す送出手段と、この送出手段に積層されたカードを上方から加圧する加圧手段とを備えたカード送出装置において、前記ケースの底板の内側の後端部にカードの厚みよりも高い段部を設けたものである。
したがって、送出ローラが回転すると、複数枚のカードが一体的にわずかに前進してケースの前端に当接する。なおも送出ローラが回転すると、最下層のカードのみがカード排出口に侵入するので、この最下層のカードのみが前進し、段部からケースの底板に落下し、最下層のカードと２枚目以降のカードとの間に隙間が形成される。
【０００６】
また、請求項２に係る発明は、請求項１に係る発明において、前記ケースの背面板の内側に、下方に向かって漸次前方に突出する傾斜部を設けたものである。したがって、ケース内に積層された複数枚のカードは、強制的に互いの位置をずらされるので、カード間にわずかな隙間が形成される。
【０００７】
【発明の実施の形態】
以下、本発明の実施の形態を図を用いて説明する。図１は本発明に係るカード送出装置を適用したカード発券機の全体の外観を示す斜視図、図２は図１におけるII-II 線断面図である。図３は同じく収納ケースを示し、同図（ａ）は底面図、同図（ｂ）は同図（ａ）におけるIII（ｂ）-III（ｂ） 線断面図、同図（ｃ）は同図（ａ）におけるIII（ｃ）-III（ｃ） 線断面図である。図４は同じくカセットケースにおいて蓋を開いた状態を示す全体の斜視図、図５は同じくカセットケースの側断面図である。図６は同じくカードの送出動作を説明するための要部の側面図であって、同図（ａ）は駆動源によってカードを移動し終わった状態を示し、同図（ｂ）は手によってカードを移動を開始した状態を示し、同図（ｃ）は手によってカードを移動し終わった状態であって、カードを抜き取る直前の状態を示す。図７は図５における要部を拡大して示す詳細図である。
【０００８】
図１および図２において、全体を符号１で示すカード発券機の筺体は、略密閉状態の箱状を呈する本体２と、この本体２の前面に取り付けられた前面部材３とによって構成されている。前面部材３は中央の凹嵌部４と左右の膨出部５，５とによって平面視略コ字状に形成され、かつ全体が中空状に形成され、前部には、凹嵌部４と膨出部５とにまたがり左右に対をなすカード取出口６が上下に複数対設けられている。
【０００９】
左右の膨出部５，５内には、互いに対向する発・受光素子からなるカード検出センサ７ａ，７ｂが設けられ、これらカード検出センサ７ａ，７ｂによって、カード取出口６から排出されたカード８の前端を検出し、後述するモータ１６の駆動を停止する。複数のカード取出口６に対応して本体２内には、複数のカード送出ユニット１０が設けられ、これらカード送出ユニット１０に対応して本体２の前板と前面部材３の背面板には、上下方向に延在する一対の開口２ａ，３ａが設けられている。
【００１０】
次に、図３および図４を用いてカード送出ユニット１０について説明する。
図３において、カード送出ユニット１０は、収納ケースユニット１１と、この収納ケースユニット１１に収納されるカセットケース１２とによって構成されている。収納ケースユニット１１は、収納ケース１５と、駆動用のモータ１６と、このモータ１６の回転を伝達する回転伝達手段１７と、この回転伝達手段１７を介して回転する一対のカード送出用ローラ１８，１８とによって概ね構成されている。
【００１１】
同図（ｂ）に示すように、収納ケース１５は、底板２０と互いに対向する一対の両側板２１，２１とによって断面略Ｈ字状に形成され、底板２０の後部には背面板２２が立設され、これら底板２０，両側板２１，２１および背面板２２とによって、挿入口２３ａを有するカセット収納部２３が形成されている。一方の側板２１の外側面には、モータ１６を固定する支持板２３が突設されている。同図（ａ）に示すように、底板２０の前部側の中央には細長い長方形の窓２０ａが設けられ、後部側には長方形の小さい窓２０ｂが設けられ、前部側の窓２０ａの両側には、一対の正方形の窓２０ｃ，２０ｃが設けられている。
【００１２】
２５は底板２０に取り付けられたプリント配線板であって、窓２０ａ，２０ｂに対応してカード有無検出センサ２６およびカセット有無検出センサ２７が実装されている。３０は検出レバーであって、軸３１を揺動中心として揺動自在に支持され、板ばね３２の付勢力によって窓２０ａから上方に突出するように付勢された検出部３０ａが設けられているとともに、カード有無検出センサ２６を動作させる作動部３０ｂが設けられている。前記カセット有無検出センサ２７には、窓２０ｂからカセット収納部２３内に進出する検出レバー３４が設けられている。
【００１３】
次に、図３および図６を用いてモータ１６の駆動を送出ローラ１８に伝達する回転伝達手段１７について説明する。
図３において、３６は収納ケース１５の側板２１の外側面に植設された軸であって、この軸３６には、モータ１６の回転軸に軸着されたウォーム（図示せず）に噛合するウォームホイール３７ａが回転自在に支持され、このウォームホイール３７ａの側部には、小径のギア３７ｂが一体に形成されている。
【００１４】
３８は収納ケース１５の側板２１の外側面に植設された軸であって、この軸３８には、小径のギア３７ｂに噛合する大径のギア３９ａが回転自在に支持され、この大径のギア３９ａの側部には、小径のギア３９ｂが一体に形成されている。４１は回転軸であって、この回転軸４１は両側板２１，２１間に軸受を介して回転自在に支持され、この回転軸４１には、上述した一対の送出ローラ１８，１８が収納ケース１５の底板２０の窓２０ｃ，２０ｃに臨むように軸着されている。
【００１５】
また、回転軸４１の一方の側板２１から突出した突出部には、小径ギア３９ｂに噛合する伝達ギア４２が回転自在に支持され、この伝達ギア４２の側部には円筒部４３が一体に形成されている。図６に示すように、この円筒部４３の内周には、周方向に互いに１８０°位置をずらした一対の係合突起４３ａ，４３ａが突設され、これら係合突起４３ａ，４３ａの回転軌跡上に位置するように、回転軸４１には、この回転軸４１と直交し両端が回転軸４１から突出するピン４４が植設されている。
【００１６】
したがって、同図（ａ）に示すように、係合突起４３ａ，４３ａとピン４４とが係合した状態から、図中実線で示すカード８を手によって把持し矢印Ａ方向に移動させると、カード８と送出ローラ１８との摩擦により、カード８の移動に追従して送出ローラ１８が時計方向に回動し、回転軸４１も一体的に時計方向に回動する。このとき、同図（ｂ）に示すように、時計方向に回動するピン４４が係合突起４３ａ，４３ａとの係合を解除されるので、回転軸４１が回転伝達手段１７による回転を規制する負荷から解放される。このため、送出ローラ１８が自由に回転可能な状態となっているので、カード８を移動させるときに手に負荷がかからない。
【００１７】
同図（ｃ）に示すように、回転軸４１を角度αだけ回動させると、ピン４４が再び係合突起４３ａ，４３ａに係合するので、ピン４４は回転方向において係合突起４３ａ，４３ａと角度αだけ遊びを有して係合している。換言すれば、この遊び分である角度αに対応する送出ローラ１８の周長分と同じ距離だけカード８を手によって矢印Ａ方向に移動させることができる。本発明においては、この周長分は、モータ１６の駆動によって移動し停止したカード８の状態、すなわち同図（ａ）で実線で示す状態のときのカード８の後端と、カード８の送出ローラ１８と接触している部位間との距離Ｂと同一長さに設定されている。
【００１８】
したがって、手によってカード８を矢印Ａ方向に移動させ終わった同図（ｃ）においては、カード８の後端が送出ローラ１８と接触しない位置に位置付けられる。このため、再び、ピン４４が突起４３ａ，４３ａと係合し、送出ローラ１８の回転が、回転伝達手段１７によって規制された状態となるが、送出ローラ１８からカード８を矢印Ａ方向に抜き取ることが可能となる。
【００１９】
次に、図４、図５、図７を用いてカセットケース１２について説明する。
図４において、カセットケース１２は、上方が開口したケース５０と、軸５２を回動支軸としてケース５０の開口を開閉自在とする蓋５１とによって構成されている。ケース５０の前部の下端には、スリット状のカード排出口５４が設けられ、図５に示すように、前部の内側には、厚みゲージ５５が取り付けられ、この厚みゲージ５５は上下方向に移動自在であって、カード排出口５４からカード８が１枚ずつ排出されるように調整できるようになっている。
【００２０】
ケース５０の底板のカード排出口５４側には、カセットケース１２が上述した収納ケースユニット１１の収納部２３に収納されたときに、検出レバー３０の検出部３０ａと送出ローラ１８，１８とが、それぞれケース５０内に進出するための窓５６および窓５７，５７が設けられている。また、ケース５０の底板の後部側には、４条のリブ５８が前後方向に延在するように設けられ、このリブ５８の後端部には、本発明の特徴である段部５９が設けられている。図５に示すように、段部５９の長さをｌとし、段部５９の後端からカード排出口５４の内側までの間隔をＬ１とし、カード８の全長をＬとすると、Ｌ＜Ｌ１で、かつＬ１−Ｌ＜ｌに設定されている。
【００２１】
また、図７に示すように、この段部５９のリブ５８からの高さＨは、カード８の１枚の厚みよりも大きく形成されている。段部５９の後端に連設されるように、ケース５０の背面板の内側には、下方に向かって漸次前方に突出する傾斜部６０が設けられている。
【００２２】
蓋５１の裏面には、ヒンジ部６３，６３に回動自在に支持された加圧板６２が設けられ、この加圧板６２は板ばね６４によって下方に付勢されている。したがって、図５に示すように、カード８がケース５０内に積層状態で収納され、蓋５１によってケース５０の開口が閉じられると、加圧板６２によってカード８がケース５０の底板側に加圧される。このとき、加圧板６２の先端部は、ローラ１８に対向する位置に位置付けられ、積層されたカード８は、加圧板６２の先端部とローラ１８とで挟持された状態となっている。
【００２３】
次に、このような構成のカード送出装置のカード送出動作を説明する。
図５に示すように、カセットケース１２のケース５０内にカード８を積層状態で収納すると、カード８の後端がケース５０の傾斜部６０に当接するので、カード８は最下位のカードから順次前方に移動し、互いに位置ずれを起こした状態で積層される。このように収納されるときに、カード８が移動し、互いに位置ずれを起こすことによって、カード８間にわずかながら隙間が形成され、カードどうしの密着した状態が緩和される。
【００２４】
ケース５０の開口を蓋５１によって閉じ、図３（ｃ）に示すように、カセットケース１２を収納ケースユニット１１の収納部２３に収納すると、カード有無検出センサ２６とケース有無検出センサ２５がＯＮになる。この状態で、発券動作用のボタン（図示せず）をＯＮすると、同図（ａ）において、モータ１６が正方向に駆動され、モータ軸の回転は、ウォームホイール３７ａ、小径ギア３７ｂ、大径ギア３９ａ、小径ギア３９ｂを介して減速され、伝達ギア４２に回転伝達される。
【００２５】
図６（ａ）において、伝達ギア４２は図中時計方向に回転し、円筒部４３の係合突起４３ａ，４３ａが係合ピン４４に係合するので、回転軸４１が時計方向に回転し、送出ローラ１８も一体的に時計方向に回転する。送出ローラ１８が時計方向に回転すると、図５（ａ）において、カード８が加圧板６２によって送出ローラ１８側に加圧されているので、最下層のカード８Ａが図中矢印Ａ方向に移動する。このとき、上述したように、傾斜部６０によってカードどうしの密着が緩和された状態となっているので、最下層のカード８Ａと２枚目のカードとの間にすべりが発生し、最下層のカード８Ａを移動させるのに、送出ローラ１８の負荷が軽減される。
【００２６】
同図（ｂ）に示すように、最下層のカード８Ａに追従して上位のカード８も移動すると、カード８は厚みゲージ５５に係止され移動が停止する。このとき、Ｌ１−Ｌ＜ｌに設定されているので、カード８は段部５９からリブ５８に落下していない。なおも、送出ローラ１８が時計方向に回転すると、同図（ｃ）に示すように、厚みゲージ５５によって最下位のカード８Ａのみが移動し、カード排出口５４から前端が露呈する。この状態では、図７に示すように、最下層のカード８Ａのみが段部５９からリブ５８上に落下し、段部５９の高さＨがカード８の１枚分の厚みよりも大きく形成されているので、最下層のカード８Ａと２枚目のカード８との間に隙間が形成される。したがって、最下層のカード８Ａと２枚目のカード８との間が真空状態となったり、あるいは静電気による密着状態になるというようなことがないので、カード送出ローラ１８によるカードの送出が確実に行われるとともに、２枚目のカードとの間の面接触が減少するので、摩擦による傷が防止できる。また、エア吹き等の作業が不要になることにより、操作性が向上するとともに、製造コストの低減を図ることができる。
【００２７】
カード排出口５４から排出されたカードの前端が、図２および図６（ａ）に示すように、カード検出センサ７ａ，７ｂによって検出されると、モータ１６の駆動が停止し、カードの移動が停止する。このとき、図２に示すように、カード８の前端部が、カード発券機１の前面部材３のカード取出口６から露呈しているので、この露呈した前端部を手によって把持し、矢印Ａ方向に引っ張る。図６（ｂ）において上述したように、ピン４４は係合突起４３ａとの係合が解除され、回転軸４１が係合突起４３ａ，４３ａ間の遊び分だけ自由に回転可能となるので、送出ローラ１８も自由に回転可能となり、手に負荷がかからずにカード８を移動させることができる。同図（ｃ）に示すように、再び、ピン４４が突起４３ａ，４３ａと係合すると、カード８の後端が送出ローラ１８と接触しない位置に位置付けられるので、図２においてカード８をカード取出口６から抜き取ることが可能となる。
【００２８】
ここで、カード８の前端部がカード取出口６から露呈する前に、カード送出ユニット１０内でカード詰まりを起こした場合には、一旦、モータ１８を逆方向に駆動する。この場合、送出ローラ１８とモータ１８との間は、ピン４４と係合突起４３ａとの係合によって連結されているので、モータ１８の正方向の駆動と同様に、モータ１８の逆方向の駆動も送出ローラ１８に伝達され、図６において送出ローラ１８が反時計方向に回転する。このモータ１８の逆方向の駆動と正方向の駆動を繰り返すことにより、カード８を矢印Ａ方向と反対方向に移動させ、カード詰まりを起こしたカード８の前端部を、強制的にカード取出口６から露呈させるいわゆるリトライ作業が可能となる。したがって、カード詰まりが発生しても、詰まったカードの除去作業のために、カード発券機１が使用できなくなるようなことが低減するので使い勝手が向上する。
【００２９】
段部５９をリブ５８を介してケース５０の底板に設けたが、底板に直接設けてもよい。
【００３０】
【発明の効果】
以上説明したように、請求項１に係る発明によれば、２枚目のカードとの間の面接触が減少するので、摩擦による傷が防止できるとともに、確実に１枚ずつ送り出される。また、エア吹き等の作業が不要になることにより、操作性が向上するとともに、製造コストの低減を図ることができる。
【００３１】
また、請求項２に係る発明によれば、カード間の密着が除去されるので、より確実にカードを１枚ずつ送り出すことができる。
【図面の簡単な説明】
【図１】  本発明に係るカード送出装置を適用したカード発券機の全体の外観を示す斜視図である。
【図２】  図１におけるII-II 線断面図である。
【図３】  本発明に係るカード送出装置における収納ケースを示し、同図（ａ）は底面図、同図（ｂ）は同図（ａ）におけるIII（ｂ）-III（ｂ） 線断面図、同図（ｃ）は同図（ａ）におけるIII（ｃ）-III（ｃ） 線断面図である。
【図４】  本発明に係るカード送出装置におけるカセットケースにおいて蓋を開いた状態を示す全体の斜視図である。
【図５】  本発明に係るカード送出装置におけるカセットケースの側断面図である。
【図６】  本発明に係るカード送出装置におけるカードの送出動作を説明するための要部の側面図であって、同図（ａ）は駆動源によってカードを移動し終わった状態を示し、同図（ｂ）は手によってカードを移動を開始した状態を示し、同図（ｃ）は手によってカードを移動し終わった状態であって、カードを抜き取る直前の状態を示す。
【図７】  図５における要部を拡大して示す詳細図である。
【符号の説明】
１…カード発券機、６…カード取出口、８…カード、１０…カード送出ユニット、１１…収納ケースユニット、１２…カセットケース、１６…モータ、１８…送出ローラ、５９…段部、６０…傾斜部、６２…加圧板。
【図１】
0003669239.tif 000002
【図２】
0003669239.tif 000003
【図３】
0003669239.tif 000004
【図４】
0003669239.tif 000005
【図５】
0003669239.tif 000006
【図６】
0003669239.tif 000007
【図７】
0003669239.tif 000008